(57)【要約】【課題】竿先部に超弾性合金材を使用した竿の先端部にトップガイドを安定して装着固定する。【解決手段】  少なくとも竿先部に超弾性合金材１０ａを使用した竿本体を有する外ガイド付き釣竿であって、竿本体の先端から４〜２０ｍｍの範囲の所定位置Ｌ１までが略ストレート部１０Ａであり、該ストレート部に連続して後方に向かって拡径する急テーパ部１０Ｂが形成され、該急テーパ部に連続してストレートを許容する緩テーパ部を設けているよう構成する。【選択図】        図２
2006006229.tif 000002
【特許請求の範囲】
【請求項１】
少なくとも竿先部に超弾性合金材を使用した竿本体を有する外ガイド付き釣竿であって、竿本体の先端から４〜２０ｍｍの範囲の所定位置までが略ストレート部であり、該ストレート部に連続して後方に向かって拡径する急テーパ部が形成され、該急テーパ部に連続してストレートを許容する緩テーパ部を設けていることを特徴とする外ガイド付き釣竿。
【請求項２】
竿本体の少なくとも前記緩テーパ部近くを除いた急テーパ部は超弾性合金材製であり、該急テーパ部は、外径差を長手方向距離で除したテーパ率が６／１０００〜１５／１０００である請求項１記載の外ガイド付き釣竿。
【請求項３】
トップガイドが筒状の装着脚部を有しており、該筒状装着脚部の挿入凹所はストレート状であるが、その深さは前記ストレート部の長さよりも長い請求項１又は２記載の外ガイド付き釣竿。
【請求項４】
前記ストレート部の曲げ剛性が０．５１〜１６１５ｋｇｆ・ｍｍ２（５．０〜１５８２７Ｎ・ｍｍ２）である請求項１〜３の何れか１記載の外ガイド付き釣竿。
【発明の詳細な説明】
【技術分野】
【０００１】
本発明は、超弾性合金材を使用した竿先部を有する外ガイド付き釣竿に関する。
【背景技術】
【０００２】
下記特許文献１にはＮｉ−Ｔｉ系合金等の超弾性合金材を使用した釣竿が開示されている。この超弾性合金は、大まかに言ってガラス繊維の弾性率と同程度の縦弾性率を有し、破断伸度が６〜８％程度と大きい。従って、特に大きく撓ませる必要のある部位に使用するとよい。そのため、カワハギ竿やキス竿等に適用が考えられる。この場合、材料のみでは竿先の適切な大撓み特性を得ることは難しく、撓み剛性の変化を大きくすべく大きなテーパ率で先細テーパ状に形成することが効果的である。また、特許文献２には、外ガイド付きの撓み易くて鋭敏な反応をする穂先竿が開示されている。このため、竿先端から５０〜１５０ｍｍの長さの領域をストレート部に形成している。一見であるが、本願と類似しているように見えるため列挙しておく。
【特許文献１】特開２００１−３７３７８号公報
【特許文献２】特開２００２−３１５４７５号公報
【発明の開示】
【発明が解決しようとする課題】
【０００３】
然しながら、竿本体には釣糸ガイドを装着する必要が有り、筒状の装着脚部を有するトップガイドは、この筒状部を竿本体先端部に被せて接着剤で固定する必要が有るが、大きなテーパ率で先細テーパ状に形成した先端部を筒状部内に挿入しても、該先端部外周と筒状部内面との隙間が変化すると共に大きくて接着固定が安定し難い。更には、針金状や板状の装着脚部の場合、これを急テーパ部に装着すると、竿の延伸方向と異なる傾斜方向に指向することになり、好ましくない。
従って解決しようとする課題は、竿先部に超弾性合金材を使用した竿の先端部にトップガイドを安定して装着固定することである。
【課題を解決するための手段】
【０００４】
請求項１に係る発明では、少なくとも竿先部に超弾性合金材を使用した竿本体を有する外ガイド付き釣竿であって、竿本体の先端から４〜２０ｍｍの範囲の所定位置までが略ストレート部であり、該ストレート部に連続して後方に向かって拡径する急テーパ部が形成され、該急テーパ部に連続してストレートを許容する緩テーパ部を設けていることを特徴とする外ガイド付き釣竿を提供する。このストレート部はトップガイド装着のための存在であり、好ましくは４〜１５ｍｍ、更に好ましくは４〜１２ｍｍである。
【０００５】
請求項２では、竿本体の少なくとも前記緩テーパ部近くを除いた急テーパ部は超弾性合金材製であり、該急テーパ部は、外径差を長手方向距離で除したテーパ率が６／１０００〜１５／１０００である請求項１記載の外ガイド付き釣竿を提供する。
請求項３では、トップガイドが筒状の装着脚部を有しており、該筒状装着脚部の挿入凹所はストレート状であるが、その深さは前記ストレート部の長さよりも長い請求項１又は２記載の外ガイド付き釣竿を提供する。
請求項４では、前記ストレート部の曲げ剛性が０．５１〜１６１５ｋｇｆ・ｍｍ２（５．０〜１５８２７Ｎ・ｍｍ２）である請求項１〜３の何れか１記載の外ガイド付き釣竿を提供する。好ましくは、８．１７〜４６７ｋｇｆ・ｍｍ２（８０．１〜４５７６．６Ｎ・ｍｍ２）である。超弾性合金製中実芯材の外径でいえば、５．０〜１５８２７Ｎ・ｍｍ２の剛性に対応して、０．２〜１．５ｍｍであり、８０．１〜４５７６．６Ｎ・ｍｍ２の剛性に対応して、０．４〜１．１ｍｍである。
【発明の効果】
【０００６】
本発明の請求項１では、竿先部に超弾性合金材を使用しており、先部に前細の急テーパ部があるため、竿先の大撓み特性に優れていると共に、先端部の４〜２０ｍｍという小さな範囲のストレート部にトップガイドの装着脚部を装着すれば、該脚部が筒状であろうと針金状や板状であろうと、装着が良好になる。特に、筒状部では、接着剤の介在する隙間が筒の軸方向（竿の長手方向）において一定となり、接着作業性や接着強度が向上する。
請求項２では、急テーパ部の大半が超弾性合金材製であり、上記の急テーパ率を有しているため、撓み剛性変化を大きくできると共に、材質的に柔軟であって大撓みが可能な竿先となり、こうした竿先にトップガイドが良好に装着できる。
【０００７】
請求項３では、ストレート部の長さよりも長い深さの挿入凹所を有する筒状装着脚部の装着では、その先端部が急テーパ部の先端部近くに圧入されると共に、接着剤によっても固定される。従って、トップガイドの装着固定がより安定する。仮に、急テーパ部が繊維強化樹脂で作られていれば、筒状装着脚部先端を該急テーパ部に押し付けて圧入した場合に、強化繊維が折れて小さな曲げ力が作用しても折損する可能性が高いが、この急テーパ部が超弾性合金材を使って形成されているため柔軟性を有しており、筒状装着脚部先端を急テーパ部に押し付けて圧入しても折損の虞が非常に少なくなる。
請求項４では、竿の先端部としての代表のストレート部の曲げ剛性が上記のような値であり、竿先部の曲げ剛性が従来に比べて小さく、非常に繊細な竿先部を有する釣竿といえる。これは、竿先部に超弾性合金材を使っていることによる。
【発明を実施するための最良の形態】
【０００８】
以下、本発明を図面を用いて詳細に説明する。図１は、本発明に係る釣竿の例としてのカワハギ用釣竿の側面図を示す。図２はその穂先部の拡大断面図を示す。竿本体１０の穂先部は、超弾性合金製中実材（中空材でもよい）１０ａを使用しており、この先部所定領域を除いて強化繊維に樹脂を含浸したプリプレグを巻回して加熱一体化成形して竿杆を形成し、この竿杆の後端部を繊維強化樹脂製の中空竿管に接続固定して竿本体１０を形成している。この竿本体の後方部の適宜位置にはリールを載置固定するリール載置部１２があり、その後側に前側グリップ１４Ｂと後側グリップ１４Ａを設けてある。また、リール載置部の前方領域には複数個の釣糸ガイドＧが設けられている。
【０００９】
竿本体１０の先部所定領域にはプリプレグを巻回した層が無く、超弾性合金材１０ａそのものが竿本体であり、その先端部所定領域Ｌ１（ここでは先端から８ｍｍの範囲）はストレート部１０Ａであり、これに連続した後方所定領域１０Ｂは、直径差を距離で除したテーパ率が１０／１０００の急テーパ部であり、その後部領域は３／１０００程度の緩テーパ部が存在する。急テーパ部の長さは略５０ｍｍ程度であり、少なくとも後部の緩テーパ部との境界近くを除き、その前方領域は超弾性合金材１０ａそのもので竿本体を形成している。この例のストレート部の外径は０．６３ｍｍ程である。また、曲げ剛性は５０．３ｋｇｆ・ｍｍ２（４９３Ｎ・ｍｍ２）程である。
【００１０】
超弾性合金は、大まかに言ってガラス繊維の弾性率と同程度の縦弾性率を有し、破断伸度が６〜８％程度（Ｎｉ−Ｔｉ系合金の場合）と大きい。従って、特に大きく撓み易く、撓んでも破損し難い。こうした特性のため、急テーパ部１０Ｂと先端部のストレート部１０Ａとの境界はテーパ率の変換点であり、これらの部位１０Ａ，１０Ｂは、通常、外面研削作業によって形成する。釣竿使用時に変換点である境界部に応力が集中するが、これが既述の柔軟な超弾性合金であるため、折損し難い。
【００１１】
このストレート部１０Ａの大半を除いて、少なくとも急テーパ部１０Ｂには下巻糸２０を密に巻回し、糸止め剤を塗布している。下巻糸は無くてもよいが、色を付して視認性向上のためや、合金材に直接塗装した場合の塗膜のクラック防止を図った装飾塗膜代わりや、釣糸ガイド装着時のガイド脚部による竿本体への応力集中防止や、釣糸ガイド脚部装着の安定化等の目的で設けられる。
【００１２】
釣糸ガイドの内、トップガイドＧ１はその装着脚部ＧＡ１が筒状体の場合と、針金状や板状の場合がある。この例では、筒状体を図示している。筒状の脚部ＧＡ１の挿入凹所はストレート状であり、深さ（長さ）は前記ストレート部１０Ａの長さＬ１よりも短い。筒状脚部ＧＡ１をストレート部１０Ａに被せ、間に接着剤を介在させてトップガイドＧ１を装着固定する。このため、両部材１０ＡとＧＡ１間の隙間は、半径において０．０５ｍｍ程度が理想的である。
【００１３】
筒状脚部ＧＡ１を被せる相手部材が、（急）テーパ部でなくストレート部１０Ａであるため、この理想的な隙間を一定に保持でき、接着強度を向上安定化できる。接着剤としては、エポキシ系やシアノアクリレート系の瞬間接着剤が好ましい。また、隙間が長手方向においてほぼ一定である為、接着作業中にトップガイドが傾き難い。筒状脚部ＧＡ１は、ステンレス、真鍮、チタン、ナイロン等の樹脂材で形成される。
【００１４】
トップガイド以外の釣糸ガイドとしての第２ガイドＧ２等は、前記下巻糸２０の上に板状等の装着脚部ＧＡ２を載置し、糸状体２２で巻回保持し、該糸状体を固定するために糸止め剤を塗布し、これにより装着固定する。
上記筒状脚部に代わって、板状等の脚部の場合は、これを載置して糸状体と糸止め剤によって固定してもよい。この場合、ストレート部１０Ａの表面に、フライス加工によって平面部を形成し、ここに載置すると、装着作業時の作業性がよく、また、装着後に力を受けても回動し難くてよい。
【００１５】
図３は、図２の例と多少異なった例を図示している。それは、トップガイドＧ１’の筒状装着脚部ＧＡ１’の挿入凹所はストレート状であるが、その深さ（長さ）は前記ストレート部１０Ａの長さＬ１よりも幾分長いことが異なる。従って、寸法にも依存するが、筒状脚部の装着では、その先端部が急テーパ部１０Ｂの先端部近くに圧入され、更に接着剤によっても固定される。従って、トップガイドの装着固定がより安定する。なお、下巻糸２０はこの筒状脚部ＧＡ１’の先端までしか至っていない。その他は図２の場合と同様である。
【産業上の利用可能性】
【００１６】
本発明は、カワハギ竿に限らずキス竿やイカ竿等の外ガイド付きの釣竿全般に利用できる。
【図面の簡単な説明】
【００１７】
【図１】図１は本発明に係る釣竿の側面図である。
【図２】図２は図１の要部の拡大断面図である。
【図３】図３は図２の変形例である。
【符号の説明】
【００１８】
１０ａ                      超弾性合金製中実材
１０Ａ                      ストレート部
１０Ｂ                      急テーパ部
Ｇ１                        トップガイド
【図１】
2006006229.tif 000003
【図２】
2006006229.tif 000004
【図３】
2006006229.tif 000005